(57)【要約】      （修正有）【課題】垢すりベッドに容易に着脱可能な垢すりベッド用の身体保温装置を提供する。【解決手段】身体保温装置Ａは、温水通路１１を内部に形成し下面に面ファスナー１２を貼着したマット１と、循環ポンプおよび加熱手段を内部に配設した温水供給装置２と、温水通路１１と温水供給装置とを接続する温水往チューブ３および温水還チューブ４とを備え、循環ポンプ、加熱手段、温水往チューブ、温水通路、および温水還チューブにより環状の温水循環路を形成してなり、床板５１の上面へマットを載置する。温水通路は、マット内部に九十九折り状に形成され、マットは、ベルト、バンド、磁石、面ファスナー等の固定具により床板上面に固定されるのが好ましい。【選択図】図１
0003192560.tif 000002
【実用新案登録請求の範囲】
【請求項１】
温水通路を内部に形成したシート状のマットと、
水流を発生させるための循環ポンプおよび帰還水を加熱するための加熱手段を内部に配設した温水供給装置と、
前記温水通路と前記温水供給装置とを接続する温水往チューブおよび温水還チューブとを備え、
前記循環ポンプ、前記加熱手段、前記温水往チューブ、前記温水通路、および前記温水還チューブにより環状の温水循環路を形成し、
利用者の身体を横たえるための床板、および該床板を支持する複数本の脚を有する垢すりベットの前記床板に前記マットが載置される垢すりベット用の身体保温装置。
【請求項２】
前記温水通路は、マット内部に九十九折り状に形成されていることを特徴とする請求項１に記載の垢すりベット用の身体保温装置。
【請求項３】
前記マットは、ベルト、バンド、磁石、面ファスナー等の固定具により床板上面に固定される請求項１または請求項２の何れか１項に記載の垢すりベット用の身体保温装置。
【考案の詳細な説明】
【技術分野】
【０００１】
本考案は、垢すりベットに着脱可能な垢すりベット用の身体保温装置に関する。なお、垢すりベットは、大規模銭湯に併設された高湿度の垢すり部屋に設置され、身体を横たえた利用者の身体を垢すり者が擦って垢を取るものである。
【背景技術】
【０００２】
特許文献１には、アカスリ具を取り付けた移動台車を移動させる背中のゴシゴシ機が記載されている。
【先行技術文献】
【特許文献】
【０００３】
【特許文献１】特開２００３−２９００７０号公報
【考案の概要】
【考案が解決しようとする課題】
【０００４】
上記特許文献１は、以下の課題を有する。
背中のゴシゴシ機を高湿度の垢すり部屋に設置した場合に漏電の可能性があるとともに、利用者が寒さを感じる。
【０００５】
本考案の目的は、垢すりベットに容易に装着でき、取り外しも容易な垢すりベット用の身体保温装置の提供にある。
【課題を解決するための手段】
【０００６】
（請求項１について）
垢すりベット用の身体保温装置は、温水通路を内部に形成したシート状のマットと、水流を発生させるための循環ポンプおよび帰還水を加熱するための加熱手段を内部に配設した温水供給装置と、温水通路と温水供給装置とを接続する温水往チューブおよび温水還チューブとを備える。
【０００７】
環状の温水循環路は、循環ポンプ、加熱手段、温水往チューブ、温水通路、および温水還チューブにより形成されている。
垢すりベットは、利用者の身体を横たえるための床板、および床板を支持する複数本の脚を有する。
【０００８】
垢すり部屋に設置された垢すりベットの床板に、身体保温装置のマットを設置する。
循環ポンプにより水流が発生し、温水往チューブを通ってマットの温水通路を流れ、マットの温水還チューブを通って帰還し、この帰還水が温水供給装置の加熱手段で加熱されてマットの温水通路へ送られる。
これにより、利用者の身体を垢すり者が擦って垢を取る際に、身体を垢すりベットに横たえた利用者の身体を温かくすることができる。
【０００９】
（請求項２について）
温水通路は、マット内部に九十九折り状に形成されている。このため、床板の表面が均一的に昇温する。
このため、床板上に横たわった利用者の身体を均一的に温めることができる。
【００１０】
（請求項３について）
マットは、使用する際に、ベルト、バンド、磁石、面ファスナー等の固定具により床板上面に固定する。
このため、垢すりベット用の身体保温装置は、垢すりベットに容易に着脱可能である。
【図面の簡単な説明】
【００１１】
【図１】本考案の実施例１に係る垢すりベット用の身体保温装置である。
【図２】その垢すりベット用の身体保温装置の説明図である。
【図３】本考案の実施例２に係る垢すりベット用の身体保温装置である。
【図４】その垢すりベット用の身体保温装置の説明図である。
【実施例１】
【００１２】
本考案の実施例１（請求項１〜３に対応）の垢すりベット用の身体保温装置Ａを図１および図２に基づいて説明する。
図に示す如く、垢すりベット用の身体保温装置Ａは、マット１と、加熱手段２１を内部に配設した温水供給装置２と、温水往チューブ３および温水還チューブ４とを備える。
【００１３】
マット１は、シート状を呈し、内部に温水通路１１が九十九折り状に形成されている。  温水供給装置２は、商用電源（ＡＣ−１００Ｖ）を使った電熱ヒータで、水を加熱する加熱手段２１と、温水を循環させるための循環ポンプ２２とを備える。
このマット１の下面には、面ファスナー１２が貼着され、ベット５の床板５１の上面には、面ファスナー１２に対応する面ファスナー５３が貼着されている。
【００１４】
温水通路１１と温水供給装置２とは、温水往チューブ３および温水還チューブ４とにより接続されている。
【００１５】
環状の温水循環路６は、循環ポンプ２２、加熱手段２１、温水往チューブ３、温水通路１１、および温水還チューブ４により形成されている。
垢すりベット５は、利用者の身体を横たえるための床板５１、および床板５１を支持する複数本の脚５２を有する。
【００１６】
垢すりベット用の身体保温装置Ａは、以下の様に設置し、作動する。
垢すり部屋に設置された垢すりベット５の床板５１の上面の面ファスナー５３を、マット１下面の面ファスナー１２へ貼着して、身体保温装置Ａのマット１を床板上面に固定する。
【００１７】
循環ポンプ２２により水流が発生し、温水往チューブ３を通ってマット１の温水通路１１を流れ、マット１の温水還チューブ４を通って帰還し、この帰還水が温水供給装置２の加熱手段２１で加熱されてマット１の温水通路１１へ送られる。
これにより、利用者の身体を垢すり者が擦って垢を取る際に、身体を垢すりベット５に横たえた利用者の身体を温かくすることができる。
【００１８】
温水通路１１は、マット内部に九十九折り状に形成されている。このため、床板５１の表面が均一的に昇温する。このため、床板５１上に横たわった利用者の身体を均一的に温めることができる。
【００１９】
垢すりベット用の身体保温装置Ａは、マット１の下面の面ファスナー１２が、ベット５の床板５１の上面の面ファスナー５３に貼着することにより、マット１が床板上面に固定される。このため、利用者の身体を垢すり者が擦って垢を取る際に、マット１と床板５１とが容易にずれない。
【００２０】
垢すりベット用の身体保温装置Ａは、マット１をめくり上げれば、面ファスナー１２と面ファスナー５３とが引き剥かれて、身体保温装置Ａを垢すりベット５から容易に取り外すことができる。
【００２１】
つぎに、本考案の実施例２（請求項１〜３に対応）の垢すりベット用の身体保温装置Ｂを図３および図４に基づいて説明する。
本実施例の垢すりベット用の身体保温装置Ｂは、下記の点が身体保温装置Ａと異なる。  
【００２２】
マット１は、シート状を呈し、内部に温水通路１１が九十九折り状に形成されている。  側面１０（長い方）側のマット裏面（六箇所）には、先端に面ファスナー１３、１４を貼着したベルト１５の基端１６が取り付けられている。
【００２３】
垢すりベット用の身体保温装置Ｂは、以下の様に設置する。
垢すり部屋に設置された垢すりベット５の床板５１の上面へマット１を載置し、ベルト１５、１５の各先端を近づけて、面ファスナー１３と面ファスナー１４とを床板５１の下面側で貼着する。
これにより、身体保温装置Ｂのマット１が床板上面に固定される。
【００２４】
垢すりベット用の身体保温装置Ｂは、以下の利点を有する。
循環ポンプ２２により水流が発生し、温水往チューブ３を通ってマット１の温水通路１１を流れ、マット１の温水還チューブ４を通って帰還し、この帰還水が温水供給装置２の加熱手段２１で加熱されてマット１の温水通路１１へ送られる。
これにより、利用者の身体を垢すり者が擦って垢を取る際に、身体を垢すりベット５に横たえた利用者の身体を温かくすることができる。
【００２５】
温水通路１１は、マット内部に九十九折り状に形成されている。このため、床板５１の表面が均一的に昇温する。このため、床板５１上に横たわった利用者の身体を均一的に温めることができる。
【００２６】
垢すりベット用の身体保温装置Ｂは、垢すりベット５の床板５１の上面へマット１を載置し、ベルト１５、１５の各先端を近づけて、面ファスナー１３と面ファスナー１４とを床板５１の下面側で貼着する構成であるので、マット１が床板上面に強固に固定される。  このため、利用者の身体を垢すり者が擦って垢を取る際に、マット１と床板５１とが容易にずれない。
【００２７】
垢すりベット用の身体保温装置Ｂは、面ファスナー１３と面ファスナー１４とを引き剥がせば、身体保温装置Ｂを垢すりベット５から容易に取り外すことができる。
【産業上の利用可能性】
【００２８】
本考案の垢すりベット用の身体保温装置Ａ、Ｂを用いれば、垢すり作業中、利用者が寒さを感じない。
【符号の説明】
【００２９】
Ａ、Ｂ  垢すりベット用の身体保温装置
１  マット
２  温水供給装置
３  温水往チューブ
４  温水還チューブ
５  ベット
１２  面ファスナー
２１  加熱手段
２２  循環ポンプ
５１  床板
５３  面ファスナー
【図１】
0003192560.tif 000003
【図２】
0003192560.tif 000004
【図３】
0003192560.tif 000005
【図４】
0003192560.tif 000006